(57)【特許請求の範囲】
【請求項１】
コネクタハウジングに水平方向の一段で２〜９個の端子収容室を並設すると共に、各端子収容室の上下壁に開口部を形成する一方、
複数の仮結束ハーネスの電線端末に接続されると共に上下いずれか一方に突出した弾性接触片部を備えた接続用端子を、上記コネクタハウジングの各端子収容室内に挿入係止して、該接続用端子の弾性接触片部を上下いずれかの開口部より突出させ、
各仮結束ハーネスを本結束する時に各仮結束ハーネスに接続された各コネクタハウジング同士を上下複数段に積み重ねて合体させ、上記端子収容室の開口部より突出する弾性接触片部を上下いずれかに隣接するコネクタハウジングの端子収容室内に挿入させて、該端子収容室内に挿入係止されている接続用端子と接触させて、電線同士を接続する構成としているジョイントコネクタ。
【請求項２】
上記コネクタハウジングを上下に積層して合体した状態で、他の電気接続箱と嵌合し、該電気接続箱に収容したバスバーあるいは絶縁板を、上記上下のコネクタハウジングの間に挿入して、上下の接続用端子の弾性接触箇所の間に押し込んで、バスバーを上下接続用端子と接続し、あるいは、上記絶縁板で上下接続用端子の接続を遮断できる構成としている請求項１に記載のジョイントコネクタ。
【請求項３】
上記接続用端子は、電気接触側の先端に、基板部より上方に突出した後に上端より下向きに屈曲した巻きバネ形状の上記弾性接触片部を備え、該弾性接触片部を上段のコネクタハウジングの下壁の開口部より該上段の端子収容室に突出させ、該上段の端子収容室内に挿入係止されている接続用端子の基板部に接触させる形状としている請求項１または請求項２に記載のジョイントコネクタ。
【請求項４】
上記接続用端子は、電気接触側をメス状のボックスとし、該ボックスの上板部に上方へ突出させたバネ片からなる上記弾性接触片部を設け、かつ、ボックスの下板部から先端側に突出させた片部をボックス内部に折り返してバネ接触片とし、上記弾性接触片部を上段のコネクタハウジングの下壁の開口部より該上段の端子収容室に突出させ、該上段の端子収容室内に挿入係止されている接続用端子の基板部に接触させる形状としている請求項１または請求項２に記載のジョイントコネクタ。
【請求項５】
上記接続用端子を収容するコネクタハウジングの各端子収容室の先端壁に端子穴を設け、これらコネクタハウジングを上下に積層して合体した状態で、他の電気接続箱と嵌合し、該電気接続箱に収容したバスバーのタブを上記端子穴から挿入して、接続用端子と接続可能とし、かつ、上下のコネクタハウジングの間に絶縁板を挿入して、上下の接続用端子の弾性接触箇所の間に押し込んで、上下接続用端子の接続を遮断できる構成としている請求項４に記載のジョイントコネクタ。
【請求項６】
上記コネクタハウジングの両壁面にロック係止部およびロック爪を設け、各仮結束ハーネスを本結束する時に上記コネクタハウジングを上下に積層して上記ロック係止部とロック爪とで互いを係止して一体化させる構成としている請求項１乃至請求項５のいずれか１項に記載のジョイントコネクタ。
【発明の詳細な説明】
【０００１】
【発明の属する技術分野】
本発明は、ジョイントコネクタに関し、詳しくは、端子相互間の接続を種々の回路接続形態に応じて柔軟に対応すると同時に、電気接続箱の内部回路とも接続可能にするものである。
【０００２】
【従来の技術】
従来、アースライン等の共通の回路系統に使用される各電線を夫々接続するには、ジョイントコネクタが利用される場合がある。図１０は、ジョイントコネクタ１を示し、ジョイントコネクタケース１ａには、接続形態に対応させた接続用バスバー２を挿着する一方、接続する各電線Ｄは端末に端子３を取り付けてコネクタＣに挿入して、このコネクタＣをジョイントコネクタケース１ａに嵌合することで各電線Ｄの接続を行っている。
【０００３】
しかし、上記ジョイントコネクタ１は構成部品点数が多く、接続回路の種類に応じて種々の接続用バスバー２やジョイントコネクタケース１ａを準備する必要があり、また、回路変更等に伴う接続数の増加等にも適応が困難であった。これらの内容に対応して特開平８−３０６４５１号において、図１１（Ａ）に示すジョイントコネクタ１’が開示されている。上記ジョイントコネクタ１’は、コネクタハウジング１ａ’の端子収容室１ｂ’に、図１１（Ｂ）に示す接続用端子３’を挿入して構成されている。
【０００４】
上記コネクタハウジング１ａ’は一体で複数段（図面では４段）の端子収容室１ｂ’を有すると共に、各端子収容室１ｂ’の上下を開口としており、また、コネクタハウジング１ａ’の前面１ｃ’には、夫々端子収容室１ｂ’に合わせて挿入口１ｄ’を設けている。一方、接続用端子３’は上部に第一弾性接触片３ａ’を突出させ、内部には第二弾性接触片３ｂ’有し、下部に接続部３ｃ’を設けている。
【０００５】
上記接続用端子３’のコネクタハウジング１ａ’への収容状態では、下方の接続用端子３’の第一弾性片３ａ’が上方の接続用端子３’の接続部３ｃ’と当接することで、従来の接続用バスバー２を使用することなく上下に位置する接続用端子３’を接続するようにしている。また、コネクタハウジング前面１ｃ’の挿入口１ｄ’よりオス端子４を挿入することで接続用端子３’の第二弾性接触片３ｂ’と接触させて接続し、接続本数の増加等にも対応できるようにしている。
【０００６】
【発明が解決しようとする課題】
上記のようにジョイントコネクタ１’は、従来に較べて接続できる本数を増加させているが、コネクタハウジング１ａ’の端子収容室１ｂ’の数により上記本数も制限を受け、やはり回路形態に応じてある程度の品種に及ぶコネクタハウジング１ａ’を準備しなければならない問題がある。また、上下に位置する接続用端子３’は必ず接続されてしまうため、回路的にこれらの接続が必要でない場合では、上記構成のジョイントコネクタ１’を適用できない問題もある。
【０００７】
また、ワイヤハーネスを組み立てる場合、まず、図１２に示すように、サブハーネス（仮結束ハーネス）Ｋ−１〜３を仮結束するが、その際、他の仮結束ハーネスに接続される電線端末の端子Ｔ−１〜３はコネクタに未挿入の状態となり、所謂、後入れ端子となる。これら仮結束ハーネスは組立図板上において本結束され、其の際に上記後入れ端子が他の仮結束ハーネスのコネクタに挿入される。よって、本結束時に、端子の後入れ工程が必須となるので、組立の効率化を図れない問題がある。また、仮結束ハーネスと本結束のワイヤハーネスＷ／Ｈの組立は別の箇所で行われていることがほとんどであるため、上記仮結束ハーネスＫ−１〜３の後入れとなる未挿入の端子Ｔ−１〜３端子が搬送時等に、変形や損傷を受けやすくなり、損傷等受けるとコネクタへの挿入が困難となり端子挿入が確実に行えないおそれもある。
【０００８】
本発明は上記した問題に鑑みてなされたものであり、仮結束ハーネスでの後入れ端子を無くして完結型とすることを第一の課題としている。かつ、コネクタハウジングの品種を削減しても、接続本数の増加や回路変更に対しても柔軟に対応できるようにすることを第二の課題としている。さらに、本発明は、ジョイントコネクタを更に発展させて、内部回路を有する電気接続箱とも接続可能とすることを第三の課題としている。
【０００９】
【課題を解決するための手段】
上記課題を解決するために、本発明は、コネクタハウジングに水平方向の一段で２〜９個の端子収容室を並設すると共に、各端子収容室の上下壁に開口部を形成する一方、
複数の仮結束ハーネスの電線端末に接続されると共に上下いずれか一方に突出した弾性接触片部を備えた接続用端子を、上記コネクタハウジングの各端子収容室内に挿入係止して、該接続用端子の弾性接触片部を上下いずれかの開口部より突出させ、
各仮結束ハーネスを本結束する時に各仮結束ハーネスに接続された各コネクタハウジング同士を上下複数段に積み重ねて合体させ、上記端子収容室の開口部より突出する弾性接触片部を上下いずれかに隣接するコネクタハウジングの端子収容室内に挿入させて、該端子収容室内に挿入係止されている接続用端子と接触させて、電線同士を接続する構成としているジョイントコネクタを提供している。
【００１０】
上記構成とすると、上記接続用端子を、仮結束ハーネスのうち、少なくとも他の仮結束ハーネスの電線と接続する電線端末に接続しておき、上記コネクタハウジングに挿入係止しているので、本結束時において、他の仮結束ハーネスに接続したコネクタハウジングと上下積層して一体化させた時に、接続用端子を介して仮結束ハーネスの電線同士が接続されることとなる。よって、従来、仮結束ハーネスで後入れ端子となっていたものをコネクタハウジング内に全て収容して完結型の仮結束ハーネスとして、後入れ端子を無くすことができる。なお、上記コネクタハウジングの両壁面にロック係止部およびロック爪を設け、各仮結束ハーネスを本結束する時に上記コネクタハウジングを上下に積層して上記ロック係止部とロック爪とで互いを係止して一体化させる構成としていると好ましい。
【００１１】
また、回路形態に合わせてコネクタハウジングを所要数を重ね合わせ一体にしてジョイントコネクタを形成することで、接続数の増加や回路変更等に対して柔軟に対応することができる。例えば、接続数を増加させたい場合には、一段のコネクタハウジングの数を増加させることで対応でき、また、回路変更等には、各コネクタハウジングの組合せや個数を変更することで容易に対応できる。
【００１２】
上記コネクタハウジングは、一段に所要数の端子収容室を設けたもの、例えば、一段に端子収容室を２個から９個有する８種類のコネクタハウジング揃えるだけで、後は上記８種類のコネクタハウジングを所要数重ね合わせて組み合わせるだけで幾通りものジョイントコネクタを形成できるので、部品の共用化を図ることができ、品種を削減できる。また、コネクタハウジングは、端子収容室の上下壁に開口部を設けると共に弾性接触片部を有する接続用端子を挿入し、これらコネクタハウジングを重ね合わせるだけで、上記開口部を通じて弾性接触片部により上下の接続用端子を容易かつ確実に接続でき、接続の信頼性も確保できる。なお、積み重ねたコネクタハウジングの上下面の開口部は使用状況等に応じて適宜カバー等を取り付てもよい。
【００１３】
また、上記コネクタハウジングを上下に積層して合体した状態で、他の電気接続箱と嵌合し、該電気接続箱に収容したバスバーあるいは絶縁板を、上記上下のコネクタハウジングの間に挿入して、上下の接続用端子の弾性接触箇所の間に押し込んで、バスバーを上下接続用端子と接続し、あるいは、上記絶縁板で上下接続用端子の接続を遮断できる構成とするのが好ましい。
【００１４】
このように、上下に積層したバスバーからなる内部回路を有する電気接続箱にコネクタを設けて、このコネクタを介して上記ジョイントコネクタを接続嵌合することで、コネクタハウジング内の上下接続用端子の接続により、電気接続箱内部の上下層のバスバーも接続できる。また、絶縁板を接続用端子の上下接触箇所に押し込むことで、上下の接触を遮断することもでき、回路形態に応じて接続、非接続を適宜選択できる。
【００１５】
具体的には、上記接続用端子は、電気接触側の先端に、基板部より上方に突出した後に上端より下向きに屈曲した巻きバネ形状の上記弾性接触片部を備え、該弾性接触片部を上段のコネクタハウジングの下壁の開口部より該上段の端子収容室に突出させ、該上段の端子収容室内に挿入係止されている接続用端子の基板部に接触させる形状としている。このように、接続用端子に巻きバネ形状の弾性接触片部を設けることで、適切な接触応力で上下の接続用端子を接続することができる。また、上記接続箇所にオス端子やバスバーのタブ等の接続片を更に接続する場合も、上記巻きバネ形状の弾性接触片部がスムーズに変形して無理なく、下方の接続用端子、接続片及び上方の接続用端子の３部材を接続できる。
【００１６】
また、上記接続用端子は、電気接触側をメス状のボックスとし、該ボックスの上板部に上方へ突出させたバネ片からなる上記弾性接触片部を設け、かつ、ボックスの下板部から先端側に突出させた片部をボックス内部に折り返してバネ接触片とし、上記弾性接触片部を上段のコネクタハウジングの下壁の開口部より該上段の端子収容室に突出させ、該上段の端子収容室内に挿入係止されている接続用端子の基板部に接触させる形状としてもよい。
【００１７】
上記形状とした接続用端子では、上部のバネ片からなる弾性接触片部により上下の接続用端子の接続を行えると共に、ボックス形状内部のバネ接触片により、水平方向からのオス端子の挿入接続が可能となり、一つの接続用端子に上下方向と水平方向との二方向の接続ができ、より広く種々の回路形態に対応できる。
【００１８】
よって、上記接続用端子を収容するコネクタハウジングの各端子収容室の先端壁に端子穴を設け、これらコネクタハウジングを上下に積層して合体した状態で、他の電気接続箱と嵌合し、該電気接続箱に収容したバスバーのタブを上記端子穴から挿入して接続用端子と接続できる一方、上下のコネクタハウジングの間に絶縁板を挿入して、上下の接続用端子の弾性接触箇所の間に押し込んで、上下接続用端子の接続を遮断することもできる。
【００１９】
【発明の実施の形態】
以下、本発明の実施形態を図面を参照して説明する。
図１（Ａ）（Ｂ）は、本発明の第一実施形態のジョイントコネクタ１０を示し、水平方向に並設した一段の端子収容室１０ｂに接続用端子１３を挿入係止したコネクタハウジング１０ａ（１０ａ−１、１０ａ−２、１０ａ−３）を三段に重ね合わせて形成している。これら各コネクタハウジング１０ａはそれぞれ仮結束ハーネスＫＨ−１〜３に予め接続され、本結束時に上記のように三段に積層して一体化される。
【００２０】
上記接続用端子１３は、図２に示すように、先端となる電気接触側にメス状のボックス１３ｄを形成しており、電気接触側の先端面は開口として挿入口１３ｉを設けている。ボックス１３ｄの上面には、二重の上板部１３ｊの上側の板を引き起こして上方へ突出させてバネ片を形成して弾性接触片部１３ａを形成している。また、ボックス１３ｄの下板部１３ｋは先端側に突出させたバネ片をボックス１３ｄの内部に折り返してバネ接触片１３ｂを設けている。さらに、ボックス１３ｄの左右の側壁には係止用のランス１３ｅを設けると共に、下板の基板部１３ｃより電線との取付側へ連続する基板１３ｆに芯線バレル１３ｇと被覆バレル１３ｈを突設させて、電線Ｄを取り付けるようにしている。
【００２１】
図３は、コネクタハウジング１０ａを示しており、樹脂等の絶縁物質により水平方向で一段に４つの端子収容室１０ｂを並設して形成されている。これら端子収容室１０ｂの上壁には、ほぼ全域にわたり上部開口部１０ｊを設けていると共に、底部となる下壁にも上記接続用端子１３を挿入係止した際にボックス１３ｄの下面の基板部１３ｃと対向する箇所に下部開口部１０ｈを設けている。また、端子収容室１０ｂの両側壁には、ランス１３ｅ係止用の凹部１０ｉを設けている。さらにコネクタハウジング１０ａの接触側となる前面１０ｃには、上記端子収容室１０ｂの位置に対応させて上下２段にわたり上端子穴１０ｄ及び下端子穴１０ｅを設けている。また、コネクタハウジング１０ａの外側の両壁面の上部及び下部には、重ね合わせ時の係止用にロック係止部１０ｇ及びロック爪１０ｆも設けている。
【００２２】
上記接続用端子１３は仮結束ハーネスの電線群のうち、少なくとも他の仮結束ハーネスの電線と接続する電線の先端に取り付けられ、仮結束工程において、コネクタハウジング１０ａの各端子収容室１０ｂに挿入される。其の際、ランス１３ｅを凹部１０ｉに係止して、接続用端子１３が抜けないように取り付けている。このようにして、本実施形態では、図４に示すように、三本の仮結束ハーネスＫＨ−１〜３を組み立てており、接続用端子１３−１〜３は全てコネクタハウジング１０ａ−１〜３に収容されている。
【００２３】
上記のようにして後入れ端子を無くして完結型とした仮結束ハーネスＫＨ−１〜３は、組立図板上で集束されて本結束されている。この本結束時では、各仮結束ハーネスＫＨ−１〜３各のコネクタハウジング１０ａ−１〜３は、図１（Ａ）、図４に示すように３段に積み重ねられて、ロック爪１０ｆ−１〜３とロック係止部１０ｇ−１〜３により夫々ロック結合して合体させることでジョイントコネクタ１０が形成されて、本結束のワイヤハーネスＷ／Ｈが組み立てられている。このように本結束時には、後入れの接続用端子が存在しないので、コネクタハウジング１０ａ−１〜３を積み重ねるだけで本結束のワイヤハーネスを効率良く組立てることができる。なお、最上段のコネクタハウジング１０ａ−３の上部の開口部１０ｊー３を覆うために上部カバー１５も取り付けている。
【００２４】
上記のようにコネクタハウジング１０ａ−１〜３が合体すると、図１（Ｂ）に示すように、上下の接続用端子１３−１〜３は弾性接触片部１３ａ−１〜３により接触する。即ち、下段に位置するコネクタハウジング１０ａ−１の接続用端子１３−１のボックス１３ｄ−１より上方に突出する弾性接触片部１３ａ−１が中段のコネクタハウジング１０ａ−２の下部開口部１０ｈ−２を通って端子収容室１０ｂ−２に突出して、接続用端子１３−２の基板部１３ｃ−２に接触している。この接触により下段と中段の接続用端子１３−１と１３−２が接続され、各電線同士を結ぶ回路が形成されている。また、上記同様に中段と上段の接続用端子１３−２と１３−３も接続されている。なお、上記弾性接触片部１３ａ−１〜３は、接触時には、適宜撓んで変形し所要接触面積および接触圧力を有するようにしている。
【００２５】
また、上記ジョイントコネクタ１０は一段に４つの端子収容室１０ｂを有するコネクタハウジング１０ａ−１〜３を三段重ね合わせて形成しているが、接続数を更に増加させる必要が生じた場合には、コネクタハウジング１０ａの重ね合わせ数を増加させることで容易に対応している。また、回路変更に伴う接続数の増減にもコネクタハウジング１０ａの重ね合わせ数を増減することで対応している。さらに、コネクタハウジング１０ａの一段に設ける端子収容室１０ａの数も２から９個のように適宜複数個設け、これらを組み合わせることで様々な接続形態に適応できるようにしている。よって、コネクタハウジング１０ａの品種は２から９個の端子収容室１０ｂを設けた場合では８種類だけで済み、品種が削減されて、コストの低減が図られている。
【００２６】
さらに、上記ジョイントコネクタ１０は、図１（Ｂ）に示すように、バスバー１６と絶縁板１７を積層して形成した内部回路を収容している電気接続箱１８にも接続できる。電気接続箱１８は、ジョイントコネクタ１０との接続用にコネクタ１８ａを外部に突設しており、このコネクタ１８の内部に各バスバー１６の端部に設けたタブ１６ａを突出させていると共に、下方の絶縁板１７の端部より延出する絶縁タブ１７ａも突出させている。
【００２７】
上記コネクタ１８にジョイントコネクタ１０を接続嵌合すると、図５（Ａ）に示すように、各タブ１６ａは各コネクタハウジング１０ａ−１〜３の前面１０ｃ−１〜３の上端子穴１０ｄ−１〜３に挿入され、また、絶縁タブ１７ａは下端子穴１０ｅ−２に挿入されている。挿入された各タブ１６ａは、接続用端子１３−１〜３のボックス１３ｄ−１〜３の内部に位置する各バネ接触片１３ｂ−１〜３と接触し、このバネ接触片１３ｂ−１〜３が適度に撓んで変形することで、タブ１６ａと所要の接触面積と接触圧力を確保した状態で接続している。
【００２８】
一方、絶縁タブ１７ａは、下端子穴１０ｅ−２を通じてコネクタハウジング１０ａ−１と１０ａ−２との間に挿入されて、下方に位置する接続用端子１３−１の弾性接触片部１３ａ−１と上方の接続用端子１３−２の基板部１３ｃ−２との接触箇所に押し込まれ、接続用端子１３−１と１３−２の接続を遮断している。
【００２９】
このようにして、電気接続箱１８の上段のバスバー１６と中段のバスバー１６はジョイントコネクタ１０の接続用端子１３−２と１３−３を介して接続されており、下段のバスバー１６は、絶縁タブ１７ａにより上方のバスバーと接続されることなく、接続用端子１３−１を介して電線Ｄ−１と接続されている。上記した電気接続箱１８とジョイントコネクタ１０との接続は一例であり、他にも種々の接続を行うことができる。
【００３０】
例えば、絶縁タブを挿入することなしに全ての層のバスバーを接続するようにしてもよく、また、上記の例で絶縁タブ１７ａを挿入している下端子穴１０ｅ−１〜３にもバスバー１６のタブ１６ａを挿入して高密度に積層された上下層のバスバーを接続するようにしてもよい。また、ジョイントコネクタ１０の同じ段に並ぶ各接続用端子１３−２等を接続する場合には、図５（Ｂ）に示すように、バスバー１６に連結部１６ｂを設けてタブ１６ａを各接続用端子１３−２に挿入して対応している。なお、上記ジョイントコネクタ１０は従来の電線の端末に取り付けられたオス端子とも接続可能で、いわゆるワイヤー・トゥー・ワイヤーで用いらるコネクタ同士での接続にも適用可能である。この際も、適宜、絶縁タブを挿入することで所要の接続回路を形成するようにしてもよい。
【００３１】
また、上記接続用端子１３−１〜３は上方に弾性接触片部１３ａ−１〜３を突出させて上方に位置する接続用端子１３−２等と接続しているが、弾性接触片部を上方ではなく下方に突出させてコネクタハウジング１０ａの上部開口部１０ｊを通して下方の接続用端子１３−１等と接続するようにしてもよい。さらに、上下両方に弾性接触片部と突出させて上下に位置する接続用端子１３−２等と接続するようにしてもよい。
【００３２】
図６は本発明の第二実施形態のジョイントコネクタ５０を示し、水平方向に一段で端子収容室５０ｂ−１〜３を並設させたコネクタハウジング５０ａ−１〜３に接続用端子５３−１〜３を挿入係止し、これらコネクタハウジング５０を積み重ねて形成されている。
【００３３】
図７に示す上記接続用端子５３は、電気接触側となる先端に基板部５３ｃより上方にバネ片を突出してから上端より下方に屈曲した巻きバネ形状の弾性接触片部５３ａを設けており、また、基板部５３ｃの両側の側辺から側壁５３ｄを立設している。ランス５３ｅ、芯線バレル５３ｇ、被覆バレル５３ｈ等は第一実施形態の接続用端子１３と同様に設けている。
【００３４】
一方、図８に示すコネクタハウジング５０ａは前面５０ｃに端子収容室５０ｂと対向する箇所に二段でない一段の端子穴５０ｄを設けると共に、この端子穴５０ｄと下壁の下部開口部５０ｈを連続させて形成している。他の箇所は第一実施形態と略同等に形成している。
【００３５】
上記接続用端子５３は、第一実施形態同様に仮結束ハーネス組立時に、コネクタハウジング５０ａの各端子収容室１０ｂに挿入係止されて、後入れ端子を無くすようにしている。図６に示すように、これら接続用端子５３−１〜３を備えるコネクタハウジング５０ａ−１〜３は、本結束時に上下複数段に重ね合わせられジョイントコネクタ５０を形成している。上記重ね合わせにより、下段の接続用端子５３−１の弾性接触片部５３ａ−１は中段の下部開口部５０ｈ−２より中段の端子収容室５０ｂ−２に突出して接続用端子５３−２の基板部５３ｃ−２と接触し、この接触により上下の接続用端子５３−１と５３−２は接続されている。上記同様に接続用端子５３−２と５３−３も接続されている。また、上記接触の際、弾性接触片部５３ａ−１等は巻きバネ形状であるため、下方にスムーズに撓んで適切な接触状態を保っている。
【００３６】
上記ジョイントコネクタ５０も、回路変更等に対応してコネクタハウジング５０ａの重ね合わせ数を増減して対応している。また、コネクタハウジング５０ａ−１等も一段に所要数の端子収容室５０ｂ−１等を適宜有するものを揃え、後はこれらを適宜組み合わせることで種々の回路形態に対応するようにして、コネクタハウジング５０ａの品種を従来に較べ削減して、コストの低減を図っている。
【００３７】
また、上記ジョイントコネクタ５０も第一実施形態と同様に、電気接続箱、コネクタ、オス端子等とも前面５０ｃ−１等の端子穴５０ｄ−１等より接続できるようにしている。一例として、図９（Ａ）（Ｂ）はコネクタ５８とジョイントコネクタ５０との接続状況を示しており、電線Ｄに接続されたオス端子５６を有するコネクタ５８をジョイントコネクタ５０と嵌合している。この嵌合により、オス端子５６先端のタブ５６ａは端子穴５０ｄ−２、３を通してコネクタハウジング５０ａ−１〜３の夫々間に挿入され、弾性接触片部５３ａ−１、２と基板部５３ｃ−２、３との接触箇所の間に押し込まれてオス端子５６及び上下の接続用端子５３−１〜３の三部材を接続している。
【００３８】
また、ジョイントコネクタ５０の上下の接続用端子５３の接続を遮断する場合は、上記オス端子５６の代わりに絶縁板を挿入することで接続を遮断できる。さらに、上下に接続を遮断すると共に上下いずれか一方の接続用端子５３−２等と接続する場合は、図９（Ｃ）に示すように、上部のオス端子のタブ５６ａ’下部に絶縁板の絶縁タブ５７ａ’を合わせて端子穴５０ｄ−２に挿入し、絶縁タブ５７ａ’で上下の接続を遮断すると共に、タブ５６ａ’を上方の基板部５３ｃ−２と接触させて接続している。
【００３９】
このように、第二実施形態のジョイントコネクタ５０を用いると、仮結束時に後入れ端子を無くすことができると共に、種々の回路形態に適合可能であり、接続数の増加等にも容易に対応できるようにしている。なお、上述した以外は、第一実施形態と同様である。
【００４０】
【発明の効果】
上記した説明より明らかなように、本発明は、仮結束ハーネスの組立時に、少なくとも従来後入れ端子となっていた電線に接続用端子を接続して、コネクタハウジングに挿入しておくと、本結束時にコネクタハウジングを結合することで、他の仮結束ハーネスの電線と接続用端子を介して接続することができ、よって、仮結束ハーネスに生じていた後入れ端子を無くすことができる。よって、従来端子の後入れに要していた手間と時間を削減でき、効率的なワイヤハーネスの組立を行える。さらに、搬送等による端子の損傷も同時に無くすことができ、ワイヤハーネスの端子にかかる品質及び信頼性も向上できる。
【００４１】
また、端子収容室を一段としたコネクタハウジングを適宜重ね合わせることで、回路形態に適応したジョイントコネクタを形成できる。このように、基本となる一段のコネクタハウジングを揃えるだけで、多種の回路を構成するジョイントコネクタを形成できるので、ジョイントコネクタの品種を削減でき、削減に伴いコストダウンも図れる。また、積層された各層の接続用端子の接続は接続用端子が有する弾性接触片部で行うため接続状態の信頼性を高めることができる。
【００４２】
さらに、形成されたジョイントコネクタは、従来のオス端子およびコネクタとの接続に加えて電気接続箱とも接続することが可能であり、積層構造の内部回路と接続して異層間の接続を行うこともできる。また、絶縁板を上記ジョイントコネクタに挿入して、上下に位置する接続用端子の接続を遮断することもでき、種々の回路形態における接続状況にも対応できる。
【図面の簡単な説明】
【図１】  本発明の第一実施形態にかかるジョイントコネクタであり（Ａ）は斜視図、（Ｂ）は断面図である。
【図２】  第一実施形態の接続用端子の斜視図である。
【図３】  第一実施形態のコネクタハウジングの斜視図である。
【図４】  仮結束ハーネスと本結束のワイヤハーネスの組立を示す概略図である。
【図５】  接続用端子の接続状態であり、（Ａ）は電気接続箱との接続時の断面図、（Ｂ）は並設する接続用端子の接続を示す要部斜視図である。
【図６】  本発明の第二実施形態にかかるジョイントコネクタの断面図である。
【図７】  第二実施形態の接続用端子の斜視図である。
【図８】  第二実施形態のコネクタハウジングの斜視図である。
【図９】  第二実施形態のジョイントコネクタの接続状況であり、（Ａ）は接続前の断面図、（Ｂ）は接続状態の断面図、（Ｃ）は接続の遮断と接続用端子への接続を行う場合の要部拡大断面図である。
【図１０】  従来のジョイントコネクタの斜視図である。
【図１１】  別の従来のジョイントコネクタであり、（Ａ）は断面図、（Ｂ）はジョイントコネクタに用いられる端子の斜視図である。
【図１２】  従来の仮結束ハーネスと本結束のワイヤハーネスの組立を示す概略図である。
【符号の説明】
１０、５０          ジョイントコネクタ
１０ａ、５０ａ      コネクタハウジング
１０ｂ、５０ｂ      端子収容室
１３、５３          接続用端子
１３ａ、５３ａ      弾性接触片部
１３ｃ、５３ｃ      基板部
１６                タブ
１７                絶縁板
１８                電気接続箱
５６                オス端子
５８                コネクタ
Ｄ                  電線
【図１】
0003731393.tif 000002
【図２】
0003731393.tif 000003
【図３】
0003731393.tif 000004
【図４】
0003731393.tif 000005
【図５】
0003731393.tif 000006
【図６】
0003731393.tif 000007
【図７】
0003731393.tif 000008
【図８】
0003731393.tif 000009
【図９】
0003731393.tif 000010
【図１０】
0003731393.tif 000011
【図１１】
0003731393.tif 000012
【図１２】
0003731393.tif 000013